(57)【要約】【課題】バックライトを効率的に利用できる表示処理装置を提供する。【解決手段】一実施形態に係るテレビ装置１００は、液晶パネル１８０と、マトリクス状に並んだ複数の光源モジュールを有し、液晶パネル１８０を照射するバックライト１９０と、複数の光源モジュールの発光量を当該光源モジュール毎に制御するバックライト制御部１１３と、液晶パネル１８０が表示する、動画像領域を含む映像を、当該映像に含まれる動画像領域の端部が、隣り合う２つの光源モジュールの間に位置するように処理する動画像領域調整部１１０とを備える。これによりテレビ装置１００は、バックライト１９０を効率的に利用することができる。【選択図】  図３
2011209424.tif 000002
【特許請求の範囲】
【請求項１】
液晶パネルと、
マトリクス状に並んだ複数の光源モジュールを有し、前記液晶パネルを照射するバックライトと、
前記複数の光源モジュールの発光量を当該光源モジュール毎に制御するバックライト制御手段と、
前記液晶パネルが表示する、動画像領域を含む映像を、当該映像に含まれる動画像領域の端部が、隣り合う２つの前記光源モジュールの間に位置するように処理する表示制御手段と
を備えることを特徴とする表示処理装置。
【請求項２】
前記バックライト制御手段は、前記液晶パネルの前記動画像領域外の位置に対応する光源モジュールの発光を抑制する
ことを特徴とする請求項１記載の表示処理装置。
【請求項３】
動画像領域を含む前記映像を入力する入力手段を更に備え、
前記液晶パネルが表示する前記映像に含まれる前記動画像領域の解像度は、前記入力手段が入力した前記映像に含まれる動画像領域の解像度とは異なる
ことを特徴とする請求項１記載の表示処理装置。
【請求項４】
前記液晶パネルが表示する前記映像は、前記動画像領域と当該動画像領域の上下に位置する余白領域とを含み、当該動画像領域の解像度は、前記入力手段が入力した前記映像に含まれる前記動画像領域と少なくとも上下方向の解像度が異なる
ことを特徴とする請求項３記載の表示処理装置。
【請求項５】
前記液晶パネルが表示する前記映像は、前記動画像領域と当該動画像領域の左右に位置する余白領域とを含み、当該動画像領域の解像度は、前記入力手段が入力した前記映像に含まれる動画像領域と少なくとも左右方向の解像度が異なる
ことを特徴とする請求項３記載の表示処理装置。
【請求項６】
動画像領域を含む前記映像を入力する入力手段を更に備え、
前記液晶パネルが表示する前記映像は、前記入力手段が入力した前記映像と、当該映像に基づく、当該映像に含まれる動画像領域とは異なる解像度の動画像領域を含む映像とのうち何れか一方の映像である
ことを特徴とする請求項１記載の表示処理装置。
【請求項７】
前記液晶パネルに、前記入力手段が入力した前記映像と、当該映像に基づく、当該映像に含まれる動画像領域とは異なる解像度の動画像領域を含む映像とのうち、何れの映像を表示させるかを決定する決定手段
を更に備えることを特徴とする請求項６記載の表示処理装置。
【請求項８】
前記決定手段は、前記入力手段が入力した前記映像に含まれる動画像領域の端部と、前記光源モジュールの境界との距離に応じて、前記入力手段が入力した前記映像と、前記異なる解像度の動画像領域を含む映像とのうち、何れの映像を表示させるかを決定する
ことを特徴とする請求項７記載の表示処理装置。
【請求項９】
表示パネルが、動画像領域を含む映像を表示するステップと、
マトリクス状に並んだ複数の光源モジュールを有したバックライトが前記表示パネルに対して照射するステップと、
前記複数の光源モジュールの発光量を当該光源モジュール毎に制御するステップと、
前記表示パネルが表示する、動画像領域を含む映像を、当該映像に含まれる動画像領域の端部が、隣り合う２つの前記光源モジュールの間に位置するように処理するステップと
を備えることを特徴とする表示処理方法。
【発明の詳細な説明】
【技術分野】
【０００１】
本発明の実施形態は表示処理装置及び表示処理方法に関する。
【背景技術】
【０００２】
テレビジョン装置等の表示装置において、当該表示装置のディスプレイのアスペクト比と異なるアスペクト比を有する動画像を、当該動画像領域の上下端又は左右端に黒帯等の余白領域を付加することにより該動画像のアスペクト比を変えることなく該ディスプレイに表示する技術がある。また、液晶表示装置等において、複数の領域に夫々配置された複数の光源を有するバックライトを用い、当該複数の光源の光量を独立に制御する技術がある。
【先行技術文献】
【特許文献】
【０００３】
【特許文献１】特開２００９−２９４４３６
【発明の概要】
【発明が解決しようとする課題】
【０００４】
ここで、余白が付与された映像を当該複数の光源を有するバックライトが設けられた液晶表示装置に表示する際、余白領域に対応する光源を消灯できることが好ましいが、余白領域と動画像領域との両方の領域に対応する光源は消灯できないため、バックライトを効率的に利用できない恐れがある。
【０００５】
そこで本発明は、バックライトを効率的に利用できる表示処理装置及び表示処理方法の提供を目的とする。
【課題を解決するための手段】
【０００６】
上記の課題を解決する為に、請求項１に記載の表示処理装置は、液晶パネルと、マトリクス状に並んだ複数の光源モジュールを有し、前記液晶パネルを照射するバックライトと、前記複数の光源モジュールの発光量を当該光源モジュール毎に制御するバックライト制御手段と、前記液晶パネルが表示する、動画像領域を含む映像を、当該映像に含まれる動画像領域の端部が、隣り合う２つの前記光源モジュールの間に位置するように処理する表示制御手段とを備えることを特徴とする。
【０００７】
また、請求項９に記載の表示処理方法は、表示パネルが、動画像領域を含む映像を表示するステップと、マトリクス状に並んだ複数の光源モジュールを有したバックライトが前記表示パネルに対して照射するステップと、前記複数の光源モジュールの発光量を当該光源モジュール毎に制御するステップと、前記表示パネルが表示する、動画像領域を含む映像を、当該映像に含まれる動画像領域の端部が、隣り合う２つの前記光源モジュールの間に位置するように処理するステップとを備えることを特徴とする。
【発明の効果】
【０００８】
バックライトを効率的に利用できる。
【図面の簡単な説明】
【０００９】
【図１】本発明の一実施形態に係るテレビ装置例を示す図。
【図２】本発明の一実施形態に係るテレビ装置の利用形態例を示す図。
【図３】本発明の一実施形態に係るテレビ装置のシステム構成例を示す図。
【図４】本発明の一実施形態に係る、動画像領域の調整例を示す図。
【図５】本発明の一実施形態に係る、動画像領域の調整例を示す図。
【図６】本発明の一実施形態に係る、動画像領域の調整例を示す図。
【図７】本発明の一実施形態に係る、動画像領域の調整例を示す図。
【図８】本発明の一実施形態に係る、動画像領域の調整例を示す図。
【図９】本発明の一実施形態に係る、動画像領域調整の設定画面例を示す図。
【図１０】本発明の一実施形態に係るテレビ装置の映像表示に関する処理フロー例を示す図。
【発明を実施するための形態】
【００１０】
以下、図面を参照して本発明の一実施形態について説明する。
まず図１及び図２を参照して、本実施形態の利用形態例について説明する。図１は、本実施形態に係るテレビ装置の例を示す図、図２は本実施形態に係るテレビ装置の利用形態例を示す図である。
【００１１】
本実施形態に係るテレビ装置１００は、液晶パネル１８０及びバックライト１９０等を備え、チューナ（図１には非図示）等から入力した映像データに基づく映像を液晶パネル１８０が表示（掲示）し、当該液晶パネル１８０に表示された映像をバックライト１９０が照射することにより、ユーザに対して映像を見せることができる。
【００１２】
図１に示すように、バックライト１９０はマトリクス状に並んだ複数の光源モジュールＬ１〜Ｌｎを備えている。ここで光源モジュールＬ１〜Ｌｎは夫々１又は複数の光源が設けられたモジュールであり、テレビ装置１００は、当該光源モジュールＬ１〜Ｌｎの夫々から出力する光量を制御できる。また光源モジュールＬ１〜Ｌｎの各々は、例えば仕切り板等により分割され、バックライト１９０は領域Ａ１〜Ａｎに分割されている。
【００１３】
そして本実施形態のテレビ装置１００は、例えば図２（Ａ）に示す画面Ｂ１や画面Ｃ１等の画面を表示することができる。ここで画面Ａ１は、ピラーボックスと呼ばれる表示形式の画面であり、動画像領域Ｂ２及び余白領域Ｂ３を含んでいる。動画像領域Ｂ２は動画像を表示する領域であり、余白領域Ｂ３は、動画像領域Ｂ２に表示される動画像のアスペクト比が、液晶パネル１８０のアスペクト比よりも縦長である場合に当該動画像領域Ｂ２の左右端に付加される領域である。また画面Ｃ１は、レターボックスと呼ばれる表示形式の画面であり、動画像領域Ｃ２及び余白領域Ｃ３を含む。そして動画像領域Ｃ２は動画像を表示する領域であり、余白領域Ｃ３は動画像領域Ｃ２に表示される映像のアスペクト比が液晶パネル１８０のアスペクト比よりも横長である場合に当該動画像領域Ｃ２の上下端に付加される領域である。
【００１４】
ここで、テレビ装置１００が画面Ｂ１やＣ１を表示する際には、当該画面の動画像領域と余白領域との境界が、分割領域の境界と一致せず、１の分割領域を動画像領域と余白領域との両方が覆う場合がある。即ち図２（Ｂ）に示すように、分割領域Ａ２２を動画像領域Ｂ２と余白領域Ｂ３との両方の領域が覆う場合や、分割領域Ａ３２を動画像領域Ｃ２と余白領域Ｃ３とが覆う場合がある。そしてこの場合テレビ装置１００は、映像領域Ｂ２やＣ２を照射する為に、当該分割領域Ａ２２やＡ３２の光源モジュールＬ２２及びＬ３２を点灯することとなるが、当該分割領域Ａ２２及びＡ３２には、照射する必要のない余白領域も含まれるため、光源モジュールＬ２２等を効率的に利用できない恐れがある。
【００１５】
そこで本実施形態のテレビ装置１００は、図２（Ｃ）や（Ｄ）に示すように、動画像領域と余白領域との境界を分割領域Ａ１〜Ａｎの境界の位置と対応するように映像データに含まれる動画像領域を調整することにより、バックライト１９０を効率的に利用することができるが、詳細については図３乃至図１０を参照して後述する。
【００１６】
次に図３を参照して、本実施形態のテレビ装置１００のシステム構成例について説明する。テレビ装置１００は、入力部１０１、デコード部１０２、余白領域検出部１０３、記憶部１０４、制御部１０７、ＧＵＩ処理部１０６、操作受付部１０７、比較部１０８、動画像領域調整部１１０、光量算出部１１１、表示処理部１１２、バックライト制御部１１３、液晶パネル１８０、バックライト１９０等を備える。
【００１７】
入力部１０１は、映像データを入力する機能を有し、例えばチューナ（非図示）が受信した映像データや、ＯＤＤ（非図示）から読込まれた映像データ等を入力する。そして入力部１０１は入力した映像データをデコード部１０２に出力する。
【００１８】
デコード部１０２は、入力部１０１から入力されたコンテンツのデコード（復号）を行い、デコードした映像データを余白領域検出部１０３及び動画像領域調整部１１０に出力する。
【００１９】
余白領域検出部１０３は、デコード部１０２から入力された映像データの映像に余白領域があるか否かを検出し、余白領域がある場合、映像データにおける動画像領域の位置を検出する。ここで余白領域検出部１０３は、入力された映像データに対して、例えば常時あるいは一定時間毎に余白領域の検出を行う。あるいは余白領域検出部１０３は、例えばリモコン等からのテレビ放送のチャンネル切替指示の操作入力を受けた場合に余白領域の検出を行ってもよい。そして余白領域検出部１０３は、検出した動画像領域及び余白領域の位置情報を比較部１０８に出力する。
【００２０】
また余白領域検出部１０３は、入力した映像データから余白領域を検出した場合、当該映像データと、表示モードについての情報とに基づいて動画像領域の位置を算出してもよい。なおここで表示モードとは、例えば映像を入力されたサイズでディスプレイに表示するノーマルモードや、入力されたサイズより拡大して表示するオーバースキャンモード等であり、これら表示モードはユーザからの操作入力により設定され、当該表示モードについての情報は記憶部１０４に格納される。
【００２１】
そして、例えば表示モードとしてオーバースキャンモードが設定されている場合、余白領域検出部１０３は、当該設定に従って拡大した映像における動画像領域の位置を算出し、当該位置情報を比較部１０８に出力する。
【００２２】
記憶部１０４は、バックライト分割位置情報及び動画像領域調整情報等を記憶する。なおバックライト分割位置情報とは、バックライト１９０を構成する複数の分割領域Ａ１〜Ａｎ夫々の位置情報であり、これら分割領域Ａ１〜Ａｎの位置を例えば座標情報として格納している。また、動画像領域調整情報とは、後述する動画像領域調整設定画面に対するユーザ操作入力により生成される情報であり、詳細については図９を参照して後述する。
【００２３】
ＧＵＩ処理部１０６は、図９にて後述する動画像領域調整設定画面を生成して当該設定画面の映像データを表示処理部１１２に出力するとともに、当該設定画面に対する操作入力受付部１０９から入力された操作入力を処理し、当該操作入力に基づく動画像領域調整情報を、制御部１０５を介して記憶部１０４に記憶させる。
【００２４】
操作受付部１０７は、ＧＵＩ処理部１０６が生成し液晶パネル１８０が表示する動画像領域調整設定画面に対するユーザ操作入力を受け付け、当該操作入力をＧＵＩ処理部１０６に出力する。
【００２５】
比較部１０８は、余白領域検出部１０３から入力された動画像領域の位置情報と、記憶部１０４に記憶されたバックライト分割位置情報とを比較し、動画像領域と余白領域との境界が、分割領域Ａ１〜Ａｎの境界の何れかと対応しているか否かを判別する。
【００２６】
そして比較部１０８は、動画像領域と余白領域との境界が分割領域の境界に対応している場合、当該対応の旨を動画像領域調整部１１０に通知する。一方これら境界が対応していない場合、比較部１０８は動画像領域と境界とが一致するように当該動画像領域のサイズ（解像度）及び位置を決定し、当該サイズ及び位置についての情報を含む、動画像領域調整指示を動画像領域調整部１１０に出力する。
【００２７】
動画像領域調整部１１０は、比較部１０８から動画像領域調整指示が入力された場合、当該指示に基づいて動画像領域を調整し、当該調整した動画像領域と余白領域とを含む映像データを生成する。そして動画像領域調整部１１０は、当該動画像領域を調整した映像データを表示処理部１１２及び光量算出部１１１に出力する。
【００２８】
光量算出部１１１は、記憶部１０４に記憶されたバックライト分割位置情報と、動画像領域調整部１１０から入力された映像データに基づいて、バックライト部１９０の光源モジュールＬ１〜Ｌｎの夫々の光量を算出／決定する。即ち光量算出部１１１は、例えば動画像領域調整部１１０から入力された映像データの画素毎の輝度値を検出し、バックライト１９０の分割領域Ａ１〜Ａｎの夫々の領域に対応する画素群の平均輝度値を算出し、当該平均輝度値に従って光源モジュールＬ１〜Ｌｎの光量を算出する。そして光量算出部１１１は、決定した光量の情報をバックライト制御部１１３に出力する。
【００２９】
表示処理部１１２は、動画像領域調整部１１０から入力された映像データを映像信号に変換し、当該映像信号を液晶パネル１８０に出力する。そして液晶パネル１８０は入力された映像信号に基づく映像を表示する。
【００３０】
バックライト制御部１１３は、光量算出部１１１から入力されたバックライト光量情報に基づいた光量でバックライト部１９０の光源モジュールＬ１〜Ｌｎを照射させる。
【００３１】
次に図４を参照して、動画像領域調整部１１０による動画像領域の調整について説明する。図４（Ａ）は動画像領域と余白領域との境界が、分割領域の境界と一致しない場合の例を示す図である。
【００３２】
図４（Ａ）では、動画像領域Ｄ１、余白領域Ｄ２、動画像端部Ｄ３、分割領域境界Ｄ４、分割領域境界Ｄ５、光源モジュール端Ｅ１、光源モジュール端Ｅ２等が示されている。ここで動画像領域Ｄ１は動画像が表示される領域、余白領域Ｄ２は、動画像領域Ｄ１に表示される動画像のアスペクト比が液晶パネル１８０のアスペクト比が異なる場合等に当該動画像領域Ｄ１の左右端又は上下端に付加される黒帯等の余白領域である。そして動画像端部Ｄ３は、動画像領域Ｄ１の端部のうち、当該動画像領域Ｄ１と余白領域Ｄ２との境界の端部を示す。
【００３３】
分割領域境界Ｄ４は、バックライト１９０を分割する領域と領域との境界であり、ここでは分割領域Ａ４１とＡ４２との境界を示す。また分割領域境界Ｄ５は、分割領域Ａ４２とＡ４３との境界である。光源モジュール端Ｅ１及びＥ２は、光源モジュールの端部を示す線であり、ここでは例えば光源モジュールＬ４２及び当該光源モジュールＬ４２と並ぶ光源モジュールの端部を示している。なお図１において、分割領域は仕切り板等により分割されているとして説明したが、当該分割領域は必ずしも仕切り板等により分割されていなくともよく、例えば光源モジュールと光源モジュールとの中間地点を境界として分割されていてもよい。
【００３４】
ここで、図４（Ａ）では、動画像端部Ｄ３と分割領域境界Ｄ４及びＤ５とは一致せず、動画像領域Ｄ１と余白領域Ｄ２との両方の領域が分割領域Ａ４２を覆っている。そのため光源モジュールＬ４２は動画像領域Ｄ１を照射する為に点灯することとなるが、当該光源モジュールＬ４２は余白領域Ｄ２に対しても照射することとなる。そのため動画像領域調整部１１０は、動画像領域Ｄ１のサイズ（解像度）や位置等を図４（Ｂ）にて説明するように調整する。
【００３５】
なお図４（Ａ）においては、動画像端部Ｄ３が分割領域Ａ４２の中央付近に位置するように示されているが、動画像端部Ｄ３の位置はこれに限るものではなく、例えば分割領域境界Ｄ４とＤ５との間の位置に動画像端部Ｄ３が対応する場合に動画像領域Ｄ１の範囲、即ち動画像の解像度が調整されてもよい。
【００３６】
またテレビ装置１００は、分割領域を占める余白領域や動画像領域の割合に応じて調整を行うか否かを決定してもよい。即ちテレビ装置１００は、動画像端部Ｄ３と、分割領域境界Ｄ４又はＤ５との距離を算出し、Ａ４２の面積のうち、余白領域Ｄ２の占める面積が所定の閾値以上である場合等に余白領域の調整を行う。なお、割合に応じた調整の詳細については図９を参照して後述する。
【００３７】
図４（Ｂ）は、図４（Ａ）の動画像領域Ｄ１の範囲を調整した場合、即ち映像に含まれる動画像の解像度を変更する場合の例を示す図である。図４（Ｂ）には、動画像領域Ｄ１１、余白領域Ｄ２１、動画像端部Ｄ３１、分割領域境界Ｄ４、分割領域境界Ｄ５、光源モジュール端Ｅ３、光源モジュール端Ｅ４等が示されている。動画像領域Ｄ１１及び余白領域Ｄ２１は、夫々動画像領域Ｄ１及び余白領域Ｄ２の調整後の領域を示す。また、光源モジュール端Ｅ３及びＥ４は、隣り合う２の光源モジュールの端部のうち、他の光源モジュールに近い端部を示す線である。
【００３８】
ここで、調整後の動画像領域Ｄ１１は、当該動画像領域Ｄ１１の動画像端部Ｄ３１と分割領域境界Ｄ４とが一致するように調整される。これにより光源モジュールＬ４２は、当該光源モジュールＬ４２が設けられた分割領域Ａ４２に動画像領域Ｄ１１が位置しないため、消灯することができる。なお動画像領域Ｄ１１の動画像端部Ｄ３１は、分割領域境界Ｄ４の位置と一致することが好ましいが、必ずしも厳密に一致する必要はなく、例えば光源モジュールＬ４１とＬ４２との間、即ち光源モジュール端Ｅ３とＥ４との間の位置に対応するものであっても構わない。
【００３９】
また図４（Ｂ）では、動画像端部Ｄ３１が分割領域境界Ｄ４と一致するように動画像領域と調整した場合について示しているが、動画像端部Ｄ３１と分割領域境界Ｄ５とが一致するように動画像領域を調整してもよい。
【００４０】
また図４では、動画像領域Ｄ１の横に余白領域Ｄ２がある場合について説明したが、当該図４及び図４の説明については、動画像領域の上下に余白領域がある場合であっても同様である。即ち動画像領域の上下に余白領域がある場合であって、当該動画像領域の端部のうち余白領域との境界にある端部が、分割領域境界の位置に対応していない場合、動画像領域調整部１１０は、動画像領域を、当該動画像領域の端部が分割領域の境界に位置するように調整する。なお図４にて説明したとおり、分割領域境界と動画像端部とは厳密に一致しなくともよい。
【００４１】
次に、図５乃至図８を参照して、本実施例のテレビ装置１００による動画像領域の調整の例及びバックライト１９０の光源モジュールの光量制御について説明する。
図５は、動画像領域を一方向に縮小する場合の例を示す図である。図５（Ａ）は動画像領域を調整しない場合の動画像領域、余白領域及びバックライト１９０の発光領域の例を示す図であり、図５（Ｂ）はこれらの領域を調整した場合の例を示す図である。
【００４２】
ここで図５（Ａ）には、動画像領域Ｖ１、余白領域Ｍ１、発光領域Ｆ１、発光制限領域Ｆ２、発光制限領域Ｆ３、動画像端部Ｇ１、動画像端部Ｇ２、分割領域境界Ｈ１等が示されている。動画像領域Ｖ１は動画像を示す領域、余白領域Ｍ１は余白の領域、発光領域Ｆ１はバックライト１９０を分割する分割領域Ａ１〜Ａｎのうち当該領域の光源モジュールが点灯する領域、発光制限領域Ｆ２及びＦ３は、光源モジュールの光量が制限される領域である。
【００４３】
また動画像端部Ｇ１及びＧ２は、動画像領域Ｖ１の端部のうち、当該動画像領域Ｖ１と余白領域Ｍ１との境界にある端部である。また分割領域境界Ｈ１は、バックライト１９０を分割する分割領域Ａ１〜Ａｎの領域と領域との境界である。そして、ここで動画像領域Ｖ１の動画像端部Ｇ１及びＧ２は、分割領域境界Ｈ１に一致していない。
【００４４】
そして図５（Ｂ）には、動画像領域Ｖ１１、余白領域Ｍ１１、発光領域Ｆ１１、発光制限領域Ｆ２１、発光制限領域Ｆ３１等が示されており、これらは夫々図５（Ａ）で示した領域に対応するものである。ここで動画像領域Ｖ１１は、動画像領域Ｖ１を１方向に対して、当該動画像領域Ｖ１１の動画像端部Ｇ１１及びＧ２１が分割領域境界Ｈ１と一致するように縮小したものである。なおここで動画像端部Ｇ１１及びＧ２１は、複数の分割領域境界Ｈ１のうち、動画像端部Ｇ１及びＧ２と近い分割領域境界Ｈ１と一致することが好ましい。また発光領域Ｆ１１は、動画像領域Ｖ１１を照射する領域であり、発光制限領域Ｆ２１及びＦ３１は、余白領域Ｍ１１に対応し、照射を制限された領域である。
【００４５】
図５のように動画像領域を１方向に対して縮小し、当該動画像領域の境界と分割領域境界Ｈ１とを一致させることにより、テレビ装置１００は余白領域に対して照射する必要がなくなるため、バックライト１９０を効率よく利用することができる。また、動画像領域を縮小することにより、点灯させる光源モジュールの数を減らすことができ、バックライト１９０の消費電力を抑制することができる。
【００４６】
図６は、動画像領域を等方的に縮小する場合の例を示す図である。図６（Ａ）は動画像領域を調整しない場合の動画像領域、余白領域及びバックライトの発光領域の例を示す図であり、図６（Ｂ）はこれらの領域を調整した場合の例を示す図である。なお図６（Ａ）は図５（Ａ）と同様の図であり、説明を省略する。
【００４７】
そして図６（Ｂ）には、動画像領域Ｖ１２、余白領域Ｍ１２、発光領域Ｆ１２、発光制限領域Ｆ２２、発光制限領域Ｆ３２等が示されている。ここで動画像領域Ｖ１２は、動画像領域Ｖ１を、当該動画像領域Ｖ１２の動画像端部Ｇ１２及びＧ２２が分割領域境界Ｈ１と一致するように等方的に縮小したものである。なおここで動画像端部Ｇ１２及びＧ２２は、複数の分割領域境界Ｈ１のうち、動画像端部Ｇ１及びＧ２に近い分割領域境界Ｈ１と一致することが好ましい。また発光領域Ｆ１２は、動画像領域Ｖ１２を照射する領域であり、発光制限領域Ｆ２２及びＦ３２は、余白領域Ｍ１２に対応し、照射を制限された領域である。
【００４８】
図６のように動画像領域を等方的に縮小し、当該動画像領域と余白領域との境界を分割領域境界Ｈ１に一致させることにより、動画像領域のアスペクト比を変えることなく、点灯させる光源モジュールの数を減らしてバックライト１９０の消費電力を抑制し、バックライト１９０を効率よく利用することができる。
【００４９】
図７は、動画像領域を１方向に拡大する場合の例を示す図である。図７（Ａ）は動画像領域を調整しない場合の動画像領域、余白領域及びバックライト１９０の発光領域の例を示す図であり、図７（Ｂ）はこれらの領域を調整した場合の例を示す図である。なお図７（Ａ）は図５（Ａ）と同様の図であり、説明を省略する。
【００５０】
そして図７（Ｂ）には、動画像領域Ｖ１３、余白領域Ｍ１３、発光領域Ｆ１３、発光制限領域Ｆ２３、発光制限領域Ｆ３３等が示されている。ここで動画像領域Ｖ１３は、動画像領域Ｖ１を、当該動画像領域Ｖ１３の動画像端部Ｇ１２及びＧ２２が分割領域境界Ｈ１と一致するように一方向に拡大したものである。なおここで動画像端部Ｇ１３及びＧ２３は、複数の分割領域境界Ｈ１のうち、動画像端部Ｇ１及びＧ２と近い分割領域境界Ｈ１と一致することが好ましい。また発光領域Ｆ１３は、動画像領域Ｖ１３を照射する領域であり、発光制限領域Ｆ２３及びＦ３３は、余白領域Ｍ１３に対応し、照射を制限された領域である。
【００５１】
図７のように動画像領域を１方向に拡大し、当該動画像領域の境界と分割領域境界Ｈ１とを一致させることにより、余白領域に対して光源モジュールを照射させる必要がなくなり、バックライト１９０を効率よく利用することができる。
【００５２】
図８は、動画像領域を１方向に拡大する場合の例を示す図である。図８（Ａ）は動画像領域を調整しない場合の動画像領域、余白領域及びバックライト１９０の発光領域の例を示す図であり、図８（Ｂ）はこれらの領域を調整した場合の例を示す図である。なお図８（Ａ）は図５（Ａ）と同様の図であり、説明を省略する。
【００５３】
そして図８（Ｂ）には、動画像領域Ｖ１４、余白領域Ｍ１４、発光領域Ｆ１４、発光制限領域Ｆ２４、発光制限領域Ｆ３４、動画像端部Ｇ１４、動画像端部Ｇ２４等が示されている。ここで動画像領域Ｖ１４は、動画像領域Ｖ１を、当該動画像領域Ｖ１４の動画像端部Ｇ１４及びＧ２４のうち少なくとも一方が分割領域境界Ｈ１と一致するように配置されたものである。なお動画像領域Ｖ１４の領域のサイズ（解像度）は調整されていなくともよい。また発光領域Ｆ１４は、動画像領域Ｖ１４を照射する領域であり、発光制限領域Ｆ２４及びＦ３４は、余白領域Ｍ１４に対応し、照射を制限された領域である。
【００５４】
図８のように動画像領域を移動し、当該動画像領域の境界と分割領域境界Ｈ１とを一致させることにより、余白領域に対して光源モジュールを照射させる必要がなくなり、バックライト１９０を効率よく利用することができる。
【００５５】
なお図５乃至図８では、動画像領域の左右に余白領域がある場合の動画像領域調整について説明したが、テレビ装置１００は、動画像領域の上下に余白領域がある場合であっても図５乃至図８に対応する動画像領域調整を行うことができる。即ちテレビ装置１００は、動画像領域を上下方向に縮小する、等方的に縮小する、上下方向に拡大する、上下方向に移動させる等の動画像領域調整を行うことにより、動画像領域の端部を光源モジュールと光源モジュールとの間の位置に対応させることができる。
【００５６】
次に図９を参照して動画像領域の調整を設定する設定画面の例について説明する。図９に示す設定画面には、動画像領域の境界がバックライトの境界に一致しない場合にテレビ装置１００が実行する処理をユーザに選択させる旨と、選択可能な処理Ｊ１〜Ｊ５が表示される。
【００５７】
そして当該設定画面には、動画像領域を縮小する処理（Ｊ１）、分割領域の面積のうち動画像領域が閾値となる所定の割合以下である場合に動画像を縮小する処理（Ｊ２）、動画像領域を拡大する処理（Ｊ３）、分割領域の面積のうち動画像領域が閾値となる所定の割合以上である場合に動画像を拡大する処理（Ｊ４）、及び動画像領域を調整しない処理（Ｊ５）が示され、これら処理に対する選択操作を受けるための選択ボックスが表示される。さらに当該設定画面には、Ｊ２及びＪ４の処理について、閾値となる割合をユーザからの操作入力に応じて決定する為の欄Ｊ２１及びＪ４１が表示される。
【００５８】
そして、当該設定画面に対する操作入力に応じた動画像領域調整情報が記憶部１０４に記憶される。
次に図１０を参照して、テレビ装置１００による動画像の調整に係る処理フロー例について説明する。
まず余白領域検出部１０３は、デコード部１０２によりデコードされた映像データを入力すると（Ｓ９０１）、当該映像データの映像に余白領域が含まれるか否かを判別する。そして映像に余白領域がある場合（Ｓ９０２のＹｅｓ）、続いて余白領域検出部１０３は、動画像領域及び余白領域の位置を算出する（Ｓ９０３）。
【００５９】
そして余白領域検出部１０３は、算出した動画像領域及び余白領域の位置情報を比較部１０８に出力する。
比較部１０８は、動画像領域及び余白領域の位置情報を入力すると、当該動画像の領域とバックライト分割位置情報とを比較し、動画像領域の境界とバックライトの境界とが一致するか否かを判定する（Ｓ９０４）。そしてこれら境界が一致しない場合（Ｓ９０５のＹｅｓ）、比較部１０８は動画像領域と境界とが一致するように当該動画像領域のサイズ（解像度）及び位置を決定し、当該サイズ及び位置についての情報を含む、動画像領域調整指示を動画像領域調整部１１０に出力する（Ｓ９０６）。
【００６０】
そして動画像領域調整部１１０は、比較部１０８からの動画像領域調整指示を受けると、デコード部１０２から入力された映像データの動画像領域を調整する（Ｓ９０７）。なお当該動画像領域の調整については図４乃至図８で説明した通りである。そして動画像領域調整部１１０は、動画像領域を調整した映像データを光量算出部１１１及び表示処理部１１２に出力する。
【００６１】
そして光量算出部１１１は、動画像領域調整部１１０から入力された映像データに基づいて、各光源モジュールＬ１〜Ｌｎの光量を算出する（Ｓ９０８）。なおＳ９０８において光量算出部１１１は、例えば動画像領域調整部１１から入力された映像の各座標における輝度値等から、バックライト部１９０の各分割領域Ａ１〜Ａｎにおける平均輝度を算出し、当該平均輝度に対応した光量を光源モジュールＬ１〜Ｌｎに設定する。そして光量算出部１１１は算出した光量値情報をバックライト制御部１１３に出力し、バックライト制御部１１３は当該光量地情報に基づいたバックライト信号をバックライト１９０に出力する（Ｓ９０９）。
【００６２】
また表示処理部１１２は、動画像領域調整部１１０から映像データが入力されると、当該映像データに基づいた映像信号を生成し、当該映像信号を液晶パネル１８０に出力する（Ｓ９１０）
【００６３】
本実施形態に拠れば、テレビ装置１００は、入力された映像に含まれる動画像の領域を、当該動画像の領域の端部が光源モジュールと光源モジュールとの間の位置に対応するように調整することにより、バックライト１９０を効率よく利用することができる。
【００６４】
またテレビ装置１００は、動画像領域のサイズ（解像度）を、当該動画像領域の端部が光源モジュールと光源モジュールとの間の位置に対応するように縮小させることにより、点灯させる光源モジュールの数を減らすことができ、バックライト１９０の消費電力を抑制することができる。
【００６５】
あるいはテレビ装置１００は、動画像領域のサイズを、当該動画像領域の端部が光源モジュールと光源モジュールとの間の位置に対応するように拡大させることにより、バックライト１９０を効率よく利用するとともに、動画像の表示面積が広く迫力のある映像を表示することができる。
【００６６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００６７】
１００…テレビ装置、１０１…入力部、１０２…デコード部、１０３…余白領域検出部、１０４…記憶部、１０５…制御部、１０６…ＧＵＩ処理部、１０７…操作受付部、１０８…比較部、１１０…動画像領域調整部、１１１…光量算出部、１１２…表示処理部、１８０…液晶パネル、１９０…バックライト
【図１】
2011209424.tif 000003
【図２】
2011209424.tif 000004
【図３】
2011209424.tif 000005
【図４】
2011209424.tif 000006
【図５】
2011209424.tif 000007
【図６】
2011209424.tif 000008
【図７】
2011209424.tif 000009
【図８】
2011209424.tif 000010
【図９】
2011209424.tif 000011
【図１０】
2011209424.tif 000012
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
液晶パネルと、
マトリクス状に並んだ複数の光源モジュールを有し、前記液晶パネルを照射するバックライトと、
前記複数の光源モジュールの発光量を当該光源モジュール毎に制御するとともに、前記液晶パネルが表示する動画像領域外の位置に対応する光源モジュールの発光を抑制するバックライト制御手段と、
前記液晶パネルが表示する、動画像領域を含む映像を、当該映像に含まれる動画像領域の端部が、隣り合う２つの前記光源モジュールの間に位置するように前記抑制される光源モジュールと対応する画素を変化させる表示制御手段と
を備えることを特徴とする表示処理装置。
【請求項２】
前記液晶パネルが表示する前記映像は、前記動画像領域と当該動画像領域の上下に位置する余白領域とを含み、当該動画像領域の解像度は、前記入力手段が入力した前記映像に含まれる前記動画像領域と少なくとも上下方向の解像度が異なる
ことを特徴とする請求項１記載の表示処理装置。
【請求項３】
前記液晶パネルが表示する前記映像は、前記動画像領域と当該動画像領域の左右に位置する余白領域とを含み、当該動画像領域の解像度は、前記入力手段が入力した前記映像に含まれる動画像領域と少なくとも左右方向の解像度が異なる
ことを特徴とする請求項１記載の表示処理装置。
【請求項４】
動画像領域を含む前記映像を入力する入力手段を更に備え、
前記液晶パネルが表示する前記映像は、前記入力手段が入力した前記映像と、当該映像に基づく、当該映像に含まれる動画像領域とは異なる解像度の動画像領域を含む映像とのうち何れか一方の映像である
ことを特徴とする請求項１記載の表示処理装置。
【請求項５】
前記液晶パネルに、前記入力手段が入力した前記映像と、当該映像に基づく、当該映像に含まれる動画像領域とは異なる解像度の動画像領域を含む映像とのうち、何れの映像を表示させるかを決定する決定手段
を更に備えることを特徴とする請求項４記載の表示処理装置。
【請求項６】
前記決定手段は、前記入力手段が入力した前記映像に含まれる動画像領域の端部と、前記光源モジュールの境界との距離に応じて、前記入力手段が入力した前記映像と、前記異なる解像度の動画像領域を含む映像とのうち、何れの映像を表示させるかを決定する
ことを特徴とする請求項５記載の表示処理装置。
【請求項７】
表示パネルが、動画像領域を含む映像を表示するステップと、
マトリクス状に並んだ複数の光源モジュールを有したバックライトが前記表示パネルに対して照射するステップと、
前記複数の光源モジュールの発光量を当該光源モジュール毎に制御するとともに、前記液晶パネルが表示する動画像領域外の位置に対応する光源モジュールの発光を抑制するステップと、
前記液晶パネルが表示する、前記動画像領域を含む映像を、当該映像に含まれる動画像領域の端部が、隣り合う２つの前記光源モジュールの間に一致して位置するように前記抑制される光源モジュールと対応する画素を変化させる表示制御手段とステップと
を備えることを特徴とする表示処理方法。
【手続補正２】
【補正対象書類名】明細書
【補正対象項目名】０００６
【補正方法】変更
【補正の内容】
【０００６】
上記の課題を解決する為に、請求項１に記載の表示処理装置は、液晶パネルと、マトリクス状に並んだ複数の光源モジュールを有し、前記液晶パネルを照射するバックライトと、前記複数の光源モジュールの発光量を当該光源モジュール毎に制御するとともに、前記液晶パネルが表示する動画像領域外の位置に対応する光源モジュールの発光を抑制するバックライト制御手段と、前記液晶パネルが表示する、動画像領域を含む映像を、当該映像に含まれる動画像領域の端部が、隣り合う２つの前記光源モジュールの間に位置するように前記抑制される光源モジュールと対応する画素を変化させる表示制御手段とを備えることを特徴とする。
【手続補正３】
【補正対象書類名】明細書
【補正対象項目名】０００７
【補正方法】変更
【補正の内容】
【０００７】
また、請求項７に記載の表示処理方法は、表示パネルが、動画像領域を含む映像を表示するステップと、マトリクス状に並んだ複数の光源モジュールを有したバックライトが前記表示パネルに対して照射するステップと、前記複数の光源モジュールの発光量を当該光源モジュール毎に制御するとともに、前記液晶パネルが表示する動画像領域外の位置に対応する光源モジュールの発光を抑制するステップと、前記液晶パネルが表示する、前記動画像領域を含む映像を、当該映像に含まれる動画像領域の端部が、隣り合う２つの前記光源モジュールの間に一致して位置するように前記抑制される光源モジュールと対応する画素を変化させる表示制御手段とステップとを備えることを特徴とする。